(57)【要約】【課題】キュレーションの評価を、短時間で容易に行うことができるキュレーションされたコンテンツを評価する方法及びシステムの提供を図る。【解決手段】キュレーションされたコンテンツを評価する方法であって、キュレーションされたコンテンツ３０２を受信し、既定の品質基準及び選択されたテンプレート２０４に基づいて前記キュレーションされたコンテンツの品質を評価し、既定のユーザ関係基準に基づいて前記キュレーションされたコンテンツによりユーザ関係を判断し、前記キュレーションされたコンテンツの前記評価された品質及び前記キュレーションされたコンテンツの前記判断されたユーザ関係に基づいて、品質評価結果４００及びユーザ関係評価結果４０２を生成する。【選択図】図３
2015049893.tif 000002
【特許請求の範囲】
【請求項１】
キュレーションされたコンテンツを評価する方法であって、
キュレーションされたコンテンツを受信し、
既定の品質基準及び選択されたテンプレートに基づいて前記キュレーションされたコンテンツの品質を評価し、
既定のユーザ関係基準に基づいて前記キュレーションされたコンテンツによりユーザ関係を判断し、
前記キュレーションされたコンテンツの前記評価された品質及び前記キュレーションされたコンテンツの前記判断されたユーザ関係に基づいて、品質評価結果及びユーザ関係評価結果を生成する、ことを有する、
ことを特徴とする方法。
【請求項２】
前記選択されたテンプレートは、コンテンツ構造と主要キーワード一覧とを含む、
ことを特徴とする請求項１に記載の方法。
【請求項３】
前記キュレーションされたコンテンツの品質を評価することは、
前記キュレーションされたコンテンツが前記コンテンツ構造によって特定されたテキスト・パターン信号を含むか否かを判定する、ことを含む、
ことを特徴とする請求項２に記載の方法。
【請求項４】
前記キュレーションされたコンテンツの品質を評価することは、更に、
前記テキスト・パターン信号内に含まれる単語及び語句と、前記キュレーションされたコンテンツ内に含まれる用語との間のヒット率を計算する、ことを含む、
ことを特徴とする請求項３に記載の方法。
【請求項５】
前記キュレーションされたコンテンツの品質を評価することは、
前記主要キーワード一覧内に含まれる前記キュレーションされたコンテンツ内に含まれる用語を識別する、ことを含む、
ことを特徴とする請求項２に記載の方法。
【請求項６】
前記キュレーションされたコンテンツの品質を評価することは、
前記選択されたテンプレートの条件を前記キュレーションされたコンテンツが満たすか否かを判定し、
前記キュレーションされたコンテンツのアイテムが特定のトピックに関するか否かをチェックし、
前記キュレーションされたコンテンツのアイテムのソース品質を評価し、
前記キュレーションされたコンテンツ内に含まれるキュレータ生成コンテンツの量を計算し、
前記キュレーションされたコンテンツに関連するコメント数をカウントし、
前記キュレーションされたコンテンツの閲覧数をカウントする、ことのうちの１つ以上を含む、
ことを特徴とする請求項１に記載の方法。
【請求項７】
前記計算することは、
引用された１つのウェブ・コンテンツと前記キュレーションされたコンテンツとの間の差分を識別し、
前記引用された１つのウェブ・コンテンツから編集された単語の数を合計する、ことを含む、
ことを特徴とする請求項６に記載の方法。
【請求項８】
前記判断するステップは、
前記キュレーションされたコンテンツのキュレータが類似トピック領域内の他のコンテンツに関してコメントしたか否かを分析し、
前記キュレーションされたコンテンツのキュレータが前記キュレーションされたコンテンツに関するコメントに対して返答したか否かを判定する、ことを含む、
ことを特徴とする請求項１に記載の方法。
【請求項９】
更に、
課題に関する教材を受信し、
前記教材に基づいてキーワード候補一覧を生成し、
前記キーワード候補一覧からキーワードを選択するために効果的な入力を受信し、
前記選択されたキーワードを含む主要キーワード一覧を生成する、ことを有する、
ことを特徴とする請求項１に記載の方法。
【請求項１０】
更に、
課題に従って選択されたコンテンツの構造型を受信する、ことを有し、
前記選択されたコンテンツの構造型は、前記選択されたテンプレート内に含まれ、カスタマイズ可能なテキスト・パターン信号を含む、
ことを特徴とする請求項１に記載の方法。
【請求項１１】
非一時的なコンピュータ読み取り可能媒体であって、請求項１に記載の方法を実行する処理装置によって実行可能なプログラミング・コードを前記非一時的なコンピュータ読み取り可能媒体上に符号化した、
ことを特徴とするコンピュータ読み取り可能媒体。
【請求項１２】
キュレーションされたコンテンツの評価システムであって、
プロセッサと、
前記プロセッサに通信可能に接続された非一時的なコンピュータ読み取り可能記録媒体であって、
キュレーションされたコンテンツを受信し、
既定の品質基準及び選択されたテンプレートに基づいて前記キュレーションされたコンテンツの品質を評価し、
既定のユーザ関係基準に基づいて前記キュレーションされたコンテンツによりユーザ関係を判断し、
前記キュレーションされたコンテンツの前記評価された品質及び前記キュレーションされたコンテンツの前記判断されたユーザ関係に基づいて、品質評価結果及びユーザ関係評価結果を生成する、
ことを含む動作を実行する前記プロセッサによって実行可能である、コンピュータ実行可能な命令を前記非一時的なコンピュータ読み取り可能記録媒体上に格納した前記非一時的なコンピュータ読み取り可能記録媒体と、を有する、
ことを特徴とするシステム。
【請求項１３】
前記選択されたテンプレートは、コンテンツ構造と主要キーワード一覧とを含む、
ことを特徴とする請求項１２に記載のシステム。
【請求項１４】
前記キュレーションされたコンテンツの品質を評価することは、
前記コンテンツ構造によって特定されたテキスト・パターン信号を前記キュレーションされたコンテンツが含むか否かを判定し、
前記テキスト・パターン信号内に含まれる単語及び語句と、前記キュレーションされたコンテンツ内に含まれる用語との間のヒット率を計算する、ことを含む、
ことを特徴とする請求項１２に記載のシステム。
【請求項１５】
前記キュレーションされたコンテンツの品質を評価することは、
前記主要キーワード一覧内に含まれる前記キュレーションされたコンテンツ内に含まれる用語を識別する、ことを含む、
ことを特徴とする請求項１２に記載のシステム。
【請求項１６】
前記キュレーションされたコンテンツの品質を評価することは、
前記選択されたテンプレートの条件を前記キュレーションされたコンテンツが満たすか否かを判定し、
前記キュレーションされたコンテンツのアイテムが特定のトピックに関するか否かをチェックし、
前記キュレーションされたコンテンツのアイテムのソース品質を評価し、
前記キュレーションされたコンテンツ内に含まれるキュレータ生成コンテンツの量を計算し、
前記キュレーションされたコンテンツに関連するコメント数をカウントし、
前記キュレーションされたコンテンツの閲覧数をカウントする、ことのうちの１つ以上を含む、
ことを特徴とする請求項１２に記載のシステム。
【請求項１７】
前記計算することは、
引用された１つのウェブ・コンテンツと前記キュレーションされたコンテンツとの間の差分を識別し、
前記引用された１つのウェブ・コンテンツから編集された単語の数を合計する、ことを含む、
ことを特徴とする請求項１６に記載のシステム。
【請求項１８】
前記判断することは、
前記キュレーションされたコンテンツのキュレータが類似トピック領域内の他のコンテンツに関してコメントしたか否かを分析し、
前記キュレーションされたコンテンツのキュレータが前記キュレーションされたコンテンツに関するコメントに対して返答したか否かを判定する、ことを含む、
ことを特徴とする請求項１２に記載のシステム。
【請求項１９】
前記動作は、更に、
課題に関する教材を受信し、
前記教材に基づいてキーワード候補一覧を生成し、
前記キーワード候補一覧からキーワードを選択するために効果的な入力を受信し、
前記選択されたキーワードを含む主要キーワード一覧を生成する、ことを含む、
ことを特徴とする請求項１２に記載のシステム。
【請求項２０】
前記動作は、更に、
課題に従って選択されたコンテンツの構造型を受信する、ことを含み、
前記選択されたコンテンツの構造型は、前記選択されたテンプレート内に含まれ、カスタマイズ可能なテキスト・パターン信号を含む、
ことを特徴とする請求項１２に記載のシステム。
【発明の詳細な説明】
【技術分野】
【０００１】
本明細書に記載した実施形態は、キュレーションされたコンテンツの評価(キュレーションされたコンテンツを評価する方法及びシステム)に関する。
【背景技術】
【０００２】
キュレーション(curation)は、デジタルファイルなどの、キュレータによって編成されるアイテムリストを含んでもよい。キュレーションは、様々な形式のコンテンツを組み合わせてもよい。
【０００３】
例えば、キュレーションは、インターネットなどのネットワークを介してアクセスされたウェブ・コンテンツとともにキュレータによって生成されたデジタルファイルを含んでもよい。加えて、キュレーションは、キュレータによるウェブ・コンテンツに対する変更を含んでもよい。
【０００４】
キュレーション内のアイテムは、トピック又はテーマによって編成されてもよい。キュレーション学習において、例えば、キュレーション内のアイテムは、教師によって出された課題のトピック又はテーマによって編成されてもよい。教師は、課題に応答して作成されたキュレーションを評価したいと思うかもしれない。しかしながら、キュレーションの評価は、キュレーションのサイズ及び複雑さのために、比較的困難で、且つ時間がかかるかもしれない。
【発明の概要】
【発明が解決しようとする課題】
【０００５】
本明細書において主張される主題は、上述したような問題点を解決するための実施形態や、上述したような環境においてのみ動作する実施形態に限定されるものではない。むしろ、この背景技術の記載は、本明細書に記載した幾つかの実施形態が実用されうる例示的技術を説明するために提供されたものにとどまる。
【課題を解決するための手段】
【０００６】
実施形態の一態様によれば、キュレーションされたコンテンツを評価する方法は、キュレーションされたコンテンツを受信するステップを含んでもよい。方法は、また、既定の品質基準及び選択されたテンプレートに基づいてキュレーションされたコンテンツの品質を評価するステップを含んでもよい。
【０００７】
方法は、既定のユーザ関係基準に基づいてキュレーションされたコンテンツによりユーザ関係を判定するステップを更に含んでもよい。方法は、また、キュレーションされたコンテンツの評価された品質及びキュレーションされたコンテンツの判定されたユーザ関係に基づいて品質評価結果及びユーザ関係評価結果を生成するステップを含んでもよい。
【０００８】
実施形態に係る目的及び利点は、少なくとも請求項において具体的に摘示された構成要素、特徴及びこれらの組合せによって実現及び達成される。
【０００９】
前述の概要説明及び後述の詳細説明はいずれも例示的かつ説明的なものであって、特許請求に係る本発明を限定するものではないことが理解されるであろう。
【発明の効果】
【００１０】
開示のキュレーションされたコンテンツを評価する方法及びシステムは、キュレーションの評価を、短時間で容易に行うことができるという効果を奏する。
【図面の簡単な説明】
【００１１】
【図１】図１は、いくつかの実施形態を実施することができる例示的な動作環境のブロック図である。
【図２】図２は、教師と通信する図１の動作環境内に含むことができる例示的なキュレーションされたコンテンツの評価システム(curated content assessment system)を表すブロック図を示す。
【図３】図３は、例示的なキュレーションを評価する、図２のキュレーションされたコンテンツの評価システムのブロック図を示す。
【図４】図４は、図３内に表された評価に起因し得る例示的な品質評価結果及び例示的なユーザ関係評価結果を示す。
【図５】図５は、本明細書に記載された少なくとも１つの実施形態のすべてによる、キュレーションされたコンテンツを評価する例示的な方法のフローチャートである。
【発明を実施するための形態】
【００１２】
本明細書に記載するいくつかの実施形態は、キュレーションされたコンテンツの評価に関する。例示的な実施形態において、評価システムは、既定の基準及び選択されたテンプレートに基づいてキュレーションされたコンテンツを評価するように構成されてもよい。
【００１３】
キュレーションされたコンテンツは、キュレータと、ネットワークを介してアクセスされ、且つキュレーションされたコンテンツ内に含まれ得るウェブ・コンテンツと、キュレータによるウェブ・コンテンツに対する編集とによって生成された原稿を含んでもよい。
【００１４】
キュレーションされたコンテンツは、教師によって出された課題に応答して生成されてもよい。教師は、更に、教材を評価システムに通信してもよい。評価システムは、キュレーションされたコンテンツが評価され得る選択されたテンプレートの構成を可能にする教材及び教師からの他の入力を受信してもよい。
【００１５】
評価システムは、キュレーションされたコンテンツをもつキュレーションされたコンテンツ及びユーザ関係の品質が評価される１つ以上の既定の基準を更に含んでもよい。評価システムは、キュレーションされたコンテンツの評価に基づいて品質評価結果及びユーザ関係評価結果を生成してもよい。
【００１６】
本発明の実施形態は、添付の図面を参照して説明されることになる。
【００１７】
図１は、少なくとも１つの実施形態が実施され得る例示的な動作環境１００のブロック図である。動作環境１００は、ネットワーク１０２と、キュレーション１０４と、キュレーションされたコンテンツの評価システム(以下「システム」)１０６と、１つ以上のエンドユーザ(以下「(単数の)ユーザ」又は「(複数の)ユーザ」)１０８と、教師１１０と、ウェブ・コンテンツ１１２とを含んでもよい。
【００１８】
概して、ネットワーク１０２は、システム１０６とユーザ１０８と教師１１０との間の通信を可能にする１つ以上の広域ネットワーク(ＷＡＮ)及び／又はローカル・エリア・ネットワーク(ＬＡＮ)を含んでもよい。
【００１９】
更に、システム１０６、ユーザ１０８及び教師１１０は、ネットワークによってキュレーション１０４及び／又はウェブ・コンテンツ１１２にアクセスすることができてもよいいくつかの実施形態において、ネットワーク１０２は、複数のＷＡＮ及び／又はＬＡＮの間の論理的及び物理的接続によって形成されたグローバルインターネットワークを含むインターネットを含む。その代わりに又は更に、ネットワーク１０２は、８０２．ｘｘネットワーク、Ｂｌｕｅｔｏｏｔｈ（登録商標）アクセスポイント、無線アクセスポイント、ＩＰベースのネットワークなどの１つ以上の無線セルラネットワーク及び／又は１つ以上の有線及び／又は無線ネットワークを含んでもよいが、但し限定はされない。ネットワーク１０２は、また、ある種類のネットワークが別の種類のネットワークとのインターフェースを確立することを可能にするサーバを含んでもよい。
【００２０】
本明細書にて用いるように、「キュレーション(curation)」(例えばキュレーション１０４)は、「キュレータ(curator)」と呼称されるエンティティ(entity)によって編成及び／又は編集されたデジタルファイルなどのアイテムリストを含んでもよい。動作環境１００において、ユーザ１０８の１つ以上はキュレータであってもよい。
【００２１】
キュレーション１０４内に含まれるアイテムは、キュレータによって生成されたアイテムだけでなく、本明細書において、ウェブ・コンテンツ１１２と呼ばれる、ネットワーク１０２を介してアクセスされるアイテムを含んでもよい。
【００２２】
更に、いくつかのキュレーション１０４において、キュレーション１０４内に含まれるウェブ・コンテンツ１１２は、キュレーション１０４内に含まれる場合にキュレータによって編集されてもよい。キュレーション１０４のうちのいずれかに含まれ得るアイテム・セット及び／又はアイテム・セットに対する編集は、本明細書において、キュレーションされたコンテンツと呼ばれる。
【００２３】
例えば、キュレーションされたコンテンツは、オンライン新聞内に公開されて、別のエンティティによって編集された記事だけでなく、キュレータであってもよいユーザ１０８によって生成され、且つネットワーク１０２を介してアクセスされたデジタル原稿を含む。記事がキュレーション１０４内に含まれている間、キュレータ又は別のユーザであってもよいユーザ１０８は、記事を編集又はコメントしてもよい。
【００２４】
デジタル原稿、記事、及び編集もしくはコメントの各々は、キュレーションされたコンテンツ内に含まれてもよい。ウェブ・コンテンツ又はユーザ生成コンテンツのいくつかの更なる例は、ウェブ・ページ、オーディオファイル、ビデオファイル、電子文書、及び実質的に他のデジタルファイル又はコンテンツを含んでもよいが、但し限定はされない。
【００２５】
キュレーション１０４又はキュレーション１０４のある部分は、例えば、インターネットに対して通信可能に接続された１つ以上の対応するウェブ・サーバによってホスティングされたウェブ・サイトにアクセス可能であってもよい。
【００２６】
キュレーション１０４のアクセス性は、他のユーザ１０８及び／又は教師１１０がキュレーション１０４に関してコメントすることを可能にしてもよく、また、キュレータがコメントに対して閲覧及び／又は返信することを可能にしてもよい。更に、キュレーション１０４のアクセス性は、システム１０６がキュレーション１０４及びキュレーション１０４に含まれるキュレーションされたコンテンツをアクセス及び／又は評価することを可能にしてもよい。
【００２７】
動作環境１００において、ユーザ１０８は、キュレーション１０４を作成及び／又は閲覧する人々及び／又は他のエンティティを含み、従って、ユーザ１０８がキュレータを含んでもよい。ユーザ１０８の少なくともある部分は、教師１１０によって出された課題に応答してキュレーション１０４を作成する学生を含んでもよい。
【００２８】
ユーザ１０８は、１つ以上のアイテムを生成する(例えば、原稿を編集する)ことにより、及び／又はキュレーション１０４内のアイテムとして含むウェブ・コンテンツ１１２をアクセスすることにより、課題に関するキュレーション１０４を作成してもよい。
【００２９】
システム１０６は、自動的又は実質的にキュレーション１０４の自動評価を提供してもよい。例えば、キュレーションを作成する学生のための課題に関連するデッドラインが過ぎた後に、システムは、キュレーション１０４を評価してもよい。更に又はその代わりに、キュレーション１０４の生成に続いて、１つ以上の他のユーザ１０８は、キュレーション１０４及びキュレーション１０４に関するコメントにアクセスしてもよい。
【００３０】
個別には示していないが、ユーザ１０８及び教師１１０のうちの１つ以上は、対応する計算装置を用いて、ネットワーク１０２と通信してもよい。計算装置は、デスクトップコンピュータ、ラップトップコンピュータ、タブレットコンピュータ、携帯電話、スマートフォン、携帯情報端末(ＰＤＡ)、又は他の好適な計算装置を含んでもよいが、但し限定はされない。
【００３１】
細部は、教師１１０及びユーザ１０８を含む動作環境１００に関して与えられるが、その一部は、学生を含んでもよい。いくつかの他の実施形態は、１つ以上の同様の動作環境内で実施されてもよい。例えば、教師１１０とユーザ１０８ではなく、別の動作環境は、管理者と従業員、政府機関と企業、企業の第１の部門と企業の複数の他の部門、又は他の適当に関連するエンティティを含んでもよい。
【００３２】
キュレーション１０４が評価されるテンプレートを策定するために、システム１０６は、教師１１０と通信してもよい。更に又はその代わりに、システム１０６は、システム管理者、技術スタッフなどによって事前に定義される、又は部分的に事前に定義される１つ以上の基準を有してもよい。
【００３３】
図２は、図１の教師１１０との通信における図１のシステム１０６の例示的な実施形態を表すブロック図２００を示す。ブロック図２００は、システム１０６のいくつかの細部、及びシステム１０６と教師１１０との間のいくつかの例示的な通信を図示し、その通信は、キュレーションされたコンテンツが評価されるテンプレートのいくつかの細部を策定するために用いられてもよい。
【００３４】
図示するように、システム１０６は、プロセッサ２２０と、通信インターフェース２２４と、メモリ２２２とを含む。プロセッサ２２０、通信インターフェース２２４、及びメモリ２２２は、通信バス２２６を介して通信的に連結されてもよい。通信バス２２６は、メモリーバス、ストレージインタフェースバス、バス／インターフェース制御装置、インターフェースバスなど、又はその任意の組み合わせを含んでもよいが、但し限定はされない。
【００３５】
概して、通信インターフェース２２４は、図１のネットワーク１０２などのネットワーク上での通信を容易することができる。通信インターフェース２２４は、ＬＡＮ接続カード、ネットワークアダプタ、ＬＡＮアダプタ、又は他の好適な通信インターフェースを含んでもよいが、但し限定はされない。
【００３６】
プロセッサ２２０は、本明細書に記載される機能又は動作を実行させるコンピュータ命令をシステム１０６が実行するように構成されてもよい。プロセッサ２２０は、プロセッサ、マイクロプロセッサ(μＰ)、コントローラ、マイクロコントローラ(μＣ)、中央処理装置(ＣＰＵ)、デジタル信号プロセサ(ＤＳＰ)、その任意の組み合わせ、又は他の好適なプロセッサを含んでもよいが、但し限定はされない。
【００３７】
コンピュータ命令は、プロセッサ２２０による実行のためにメモリ２２２内にロードされてもよい。例えば、コンピュータ命令は、テンプレート・モジュール２０４、既定基準モジュール２１２、コンテンツ構造モジュール２０６、主要キーワード一覧モジュール２１０、テキスト・パターン信号の辞書２０８、品質基準モジュール２１４、及びユーザ関係基準モジュール２１６などの１つ以上のモジュールの形式であってもよいが、但し限定はされない。
【００３８】
いくつかの実施形態において、本明細書に記載された機能及び動作の実行の間に生成、受信、及び／又は動作されたデータは、メモリ２２２内に少なくとも一時的に格納されてもよい。更に、メモリ２２２は、ランダムアクセスメモリなどの揮発性記憶装置を含んでもよい。
【００３９】
更に概して、システム１０６は、ＲＡＭ、ＲＯＭ、ＥＥＰＲＯＭ、フラッシュメモリ又は他のメモリ技術、ＣＤ−ＲＯＭ、ディジタル・バーサタイル・ディスク(ＤＶＤ)又は他の光学記憶装置、磁気カセット、磁気テープ、磁気ディスク記憶装置又は他の磁気記憶装置、又は他の非一時的なコンピュータ読み取り可能媒体などの非一時的なコンピュータ読み取り可能媒体を含んでもよいが、但し限定はされない。
【００４０】
図２に表した例示的なシステム１０６において、キュレーションされたコンテンツは、既定の基準及び選択されたテンプレートに基づいて評価されてもよい。既定の基準は、規定され、既定基準モジュール２１２内に格納され、又は、そうでなければ、既定基準モジュールによって制御されてもよい。既定基準モジュール２１２に含まれる基準を定義するために、教師１１０及び／又はシステム管理者などのエンティティは、例えば１つ以上の基準を既定基準モジュール２１２内にプログラムしてもよい。
【００４１】
既定の基準は、既定の品質基準(品質基準)及び既定のユーザ関係基準(関係基準)を含んでもよい。品質基準は、キュレーションされたコンテンツ内に含まれるアイテムの品質を評価するために用いられてもよい。
【００４２】
アイテムの品質は、個々に且つ互いに評価されてもよい。関係基準は、キュレーションされたコンテンツによりユーザ関係を判断するために用いられてもよい。従って、既定基準モジュール２１２は、品質基準モジュール２１４とユーザ関係基準モジュール２１６とを含んでもよい。
【００４３】
上述のように、品質基準及び関係基準は、エンティティによってプログラムされてもよい。更に、品質基準及び関係基準は、更新され、変更されてもよい。いくつかの実施形態において、品質基準は、キュレーションされたコンテンツが選択されたテンプレートの条件(以下で論じる)を満たしているか否かと、キュレーションされたコンテンツのアイテムは特定のトピックに関するか否かと、キュレーションされたコンテンツのアイテムのソース品質(source quality)と、キュレーションされたコンテンツ内に含まれるキュレータ生成コンテンツの量と、キュレーションされたコンテンツに関連するコメント数と、キュレーションされたコンテンツの閲覧数とを含んでもよいが、但し限定はされない。これらの品質基準は、品質基準の非限定的、例示的なリストとして意図される。これらの品質基準のうちのいくつかの具体化は、以下で論じる。
【００４４】
選択されたテンプレートは、教師１１０との通信を通じて、少なくとも部分的に規定されてもよい。この実施形態及び他の実施形態において、選択されたテンプレートは、コンテンツ構造及び主要キーワード一覧を含んでもよい。コンテンツ構造は、規定され、コンテンツ構造モジュール２０６内に格納され、そうでなければ、コンテンツ構造モジュールによって制御されてもよい。同様に、主要キーワード一覧は、規定され、主要キーワード一覧モジュール２１０内に格納され、又は、そうでなければ、主要キーワード一覧モジュールによって制御されてもよい。
【００４５】
コンテンツ構造は、概して、キュレーションされたコンテンツの種類又は性質を含んでもよい。例えば、図１の動作環境１００において、教師１１０によって出された課題は、課題に応答して作成されるキュレーションの種類を示してもよく、従って、コンテンツ構造を示してもよい。
【００４６】
いくつかの例示的なコンテンツ構造は、イベント構造(event structure)、列挙構造(enumeration structure)、記述構造(description structure)、定義構造(definition structure)、シーケンス構造(sequence structure)、プロセス構造(process structure)、時間順構造(time order structure)、年代順構造(chronology structure)、比較対照構造(compare-contrast structure)、提案支援構造(proposition support structure)、判断構造(judgment structure)、批評構造(critique structure)、因果構造(cause-effect structure)、問題解決構造(problem-solution structure)、空き構造(empty structure)とも呼ばれる無構造(no structure)、又はその任意の組み合わせを含んでもよい。例えば、課題は、第一次世界大戦の歴史に関するキュレーションを作成することであってもよい。コンテンツ構造は、従って、年代順構造を含んでもよい。
【００４７】
コンテンツ構造は、テキスト・パターン信号によって示されてもよい。テキスト・パターン信号は、コンテンツ構造を示す特定の種類の構造に組み込まれ得る１セットの単語及び語句を含んでもよい。上記の第一次世界大戦の例において、テキスト・パターン信号は、「その後(afterwards)」「の時に(as)」「の前に(before)」「最初に(initially)」「後で(later on)」「その間に(meanwhile)」「かなり後に(much later)」などの単語及び語句の１つ以上を含んでもよい。
【００４８】
他のコンテンツ構造は、対応するコンテンツ構造を示すテキスト・パターンを含んでもよい。いくつかの例示的なテキスト・パターン信号は、イベント・テキスト・パターン信号と、シーケンスのテキスト・パターン信号と、年代順のテキスト・パターン信号と、比較対照のテキスト・パターン信号と、問題解決のテキスト・パターン信号と、空きのテキスト・パターン信号とを含んでもよいが、但し限定はされない。各テキスト・パターン信号は、対応するコンテンツ構造を示す１セットの単語及び語句を含んでもよい。いくつかの状況において、複数のテキスト・パターン信号は、単語及び語句を共有してもよい。
【００４９】
システム１０６において、テキスト・パターン信号は、テキスト・パターン信号の辞書(辞書)２０８内で規定されてもよい。辞書２０８は、単語及び語句の初期セットを含んでもよいし、又はテキスト・パターン信号内に含む頭文字及び語句の１つ以上を教師１１０又は別のエンティティが選択することを可能にしてもよい。キュレーションされたコンテンツのコンテンツ構造を評価するために、システム１０６は、テキスト・パターン信号に含まれる単語及び語句と、キュレーションされたコンテンツ内に含まれる用語との間のヒット率を計算してもよい。
【００５０】
いくつかの実施形態において、教師１１０又は別のエンティティは、コンテンツ構造を選択してもよい。例えば、教師１１０は、選択されたコンテンツの構造型をコンテンツ構造モジュール２０６に通信してもよい。更に又はその代わりに、教師１１０又は別のエンティティは、コンテンツ構造に対応するテキスト・パターン信号のための辞書２０８内に含む１つ以上の単語及び語句を選択してもよい。
【００５１】
選択されたテンプレートは、また、主要キーワード一覧を含んでもよい。この実施形態及び他の実施形態において、主要キーワード一覧は、教師１１０との１つ以上の通信を通じて生成されてもよい。例えば、教師１１０は、時間割りなどの教材２０２又は別の教材を、主要キーワード一覧モジュール２１０に通信してもよい。
【００５２】
主要キーワード一覧モジュール２１０、又はシステム１０６の別の部分は、キーワード候補一覧２１８を生成するために教材２０２を解析してもよい。キーワード候補一覧２１８内に含まれるキーワードは、タイトル内に含まれる、又は強調された部分内に含まれるなど、何度も生じる教材２０２からの単語又は語句を含んでもよい。
【００５３】
キーワード候補一覧２１８は、教師１１０に対して通信されてもよい。教師１１０は、その後、キーワード候補一覧２１８からキーワードを選択してもよいし、又は、そうでなければ、キーワード候補一覧からキーワードを選択するために効果的な入力を備えてもよい。選択されたキーワードが主要キーワード一覧内に含まれ得る場合、選択されたキーワードは、システム１０６に対して通信されてもよい。
【００５４】
要するに、テンプレート・モジュール２０４は、選択されたテンプレートを含んでもよい。選択されたテンプレートは、コンテンツ構造を示す辞書２０８内で選択された単語及び語句を更に含んでもよい。更に、選択されたテンプレートは、複数のキーワードを含む主要キーワード一覧を含んでもよい。キュレーションされたコンテンツの評価は、従って、主要キーワード一覧内で選択されたキーワード及び／又はコンテンツ構造から単語及び語句の有無を評価することを含んでもよい。
【００５５】
図３は、図１のキュレーション１０４の例示的な実施形態を評価する、図１及び図２のシステム１０６の例示的な実施形態のブロック図３００を示す。システム１０６は、キュレーション１０４を受信し、キュレーションされたコンテンツ３０２を評価し、品質評価結果４００及びユーザ関係評価結果４０２を生成してもよい。
【００５６】
図示した実施形態において、キュレーション１０４のキュレーションされたコンテンツ３０２は、１つ以上のアイテム３２０Ａ及び３２０Ｂ(以下「アイテム３２０」又は「複数のアイテム３２０」)を含んでもよい。更に、キュレーション１０４は、コメントデータ３１８を含んでもよい。コメントデータ３１８は、図示されるようなキュレーション１０４内に含まれていてもよいし、又は、そうでなければ例えば「コメント」リンクを通じてキュレーション１０４に関連づけられてもよい。
【００５７】
キュレーション１０４を評価するために、システム１０６は、ネットワークを介してキュレーション１０４にアクセスしてもよいし、及び／又はキュレーション１０４は、ユーザ又は教師によってシステム１０６に対して通信されてもよい。キュレーション１０４が受信されたとき、キュレーション１０４は、既定基準モジュール２１２内の既定の基準及び／又はテンプレート・モジュール２０４内で選択されたテンプレートに基づいて評価されてもよい。
【００５８】
評価から、システムは、品質評価結果４００及びユーザ関係評価結果４０２を生成してもよい。概して、品質評価結果４００は、(上記のような)選択されたテンプレート及び(上記でも論じた)品質基準を用いて、キュレーションされたコンテンツ３０２及び／又はコメントデータ３１８の評価に基づいて生成されてもよい。ユーザ関係評価結果４０２は、(上記でも記載した)関係基準を用いて、キュレーションされたコンテンツ３０２及び／又はコメントデータ３１８の評価に基づいて生成されてもよい。
【００５９】
この実施形態及び他の実施形態において、品質基準は、選択されたテンプレートの１つ以上の条件をキュレーションされたコンテンツが満たすか否かを、含んでもよい。上記のように、選択されたテンプレートは、主要キーワード一覧とコンテンツ構造とを含んでもよい。主要キーワード一覧及びコンテンツ構造の各々は、１セットの単語(例えば、テキスト・パターン信号の辞書内の単語及び語句、及び主要キーワード一覧内のキーワード)を含む。
【００６０】
キュレーションされたコンテンツが選択されたテンプレートの条件を満たすか否かを評価する際に、システム１０６は、キュレーションされたコンテンツ３０２内の各々のアイテム３２０をスキャンし、各々のアイテム内の用語と選択されたテンプレート内の用語と間の１つ以上のヒット・カウントを判定してもよい。
【００６１】
この品質判定基準は、パーセンテージ(例えば、キュレーションされたコンテンツ３０２は、選択されたテンプレート内の単語の８８％を含む)によって、総数(例えば、キュレーションされたコンテンツ３０２は、選択されたテンプレート内の単語のうちの１５０を含む)によって、又は別の好適な方法で得点されてもよい。
【００６２】
更に又はその代わりに、品質基準は、キュレーションされたコンテンツ３０２のアイテム３２０が特定のトピックに関するか否かを、含んでもよい。アイテム３２０が特定のコンテンツに関するか否かを判定するために、システム１０６は、アイテム３２０の、例えばタイトル、テキスト、キャプション、写真内のタグをスキャンしてもよい。システム１０６は、その後、タイトル、テキストなどの内で用いられる用語間の関係をチェックしてもよい。
【００６３】
例えば、第１のアイテム３２０Ａは、第一次世界大戦の要因に関する、キュレータによって起草されたエッセイを含んでもよい。第２のアイテム３２０Ｂは、「軍備＜第一次世界大戦の引き金＞」とタイトルをつけられた第一次世界大戦に関する記事を含んでもよい。システム１０６は、第１のアイテム３２０Ａ及び第２のアイテム３２０Ｂのタイトル及びテキストをスキャンし、第１のアイテム３２０Ａ及び第２のアイテム３２０Ｂが第一次世界大戦の要因に関連するか否かを判定してもよい。
【００６４】
特定のトピックに対するアイテム３２０の妥当性に対するスコアは、閾値の関連性(threshold relatedness)を有するアイテム３２０の数によって定量化されてもよいし、又は別の好適な方法において得点されてもよい。例えば、第１のアイテム３２０Ａ及び第２のアイテム３２０Ｂは、充分に関連づけられてもよく、１００％のスコアをもたらしてもよい。各々のアイテム３２０のための(以下で論じる)ソース品質は、特定のトピックに対するアイテム３２０の妥当性ための合計スコアを得るために平均化又は合計されてもよい。
【００６５】
更に又はその代わりに、品質基準は、キュレーションされたコンテンツ３０２のアイテム３２０のソース品質を含んでもよい。アイテム３２０のソース品質は、ソースの評判、ソースの支持率、ソースが他のキュレーションに引用された回数などによって関連づけされてもよいし、及び／又は定量化されてもよい。
【００６６】
例えば、キュレーションされたコンテンツ３０２が大量に引用された(例えば何百もの引用)記事からの記事を含む１つの実施形態において、ソース品質は、引用されていない記事よりも高くてもよい。その代わりに、システム管理者は、ソース品質を予め決めてもよい。例えば、第２のアイテム３２０Ｂは、引用文３２２を含んでもよい。
【００６７】
引用文３２２は、システム管理者が判定した有名なソース又は定着したソースから作り出され得る１つのウェブ・コンテンツは、評判がよい、又は確実であることを参考にしてもよい。評判がよい、又は確実であるソースは、システム管理者が判定したそれほど評判がよくない、又はそれほど確実ではないソースよりも高品質のスコアを受けてもよい。
【００６８】
ソース品質に対するスコアは、ゼロから１までの小数値(例えば、０．６、０．８、または１)を含んでもよい。各々のアイテム３２０のためのソース品質は、ソース品質ための合計スコアを得るために平均化又は合計されてもよい。
【００６９】
更に又はその代わりに、品質基準は、キュレーションされたコンテンツ３０２内に含まれるキュレータ生成コンテンツの量を含んでもよい。上記で論じたように、キュレータ生成コンテンツは、コメント、注釈、ウェブ・コンテンツに対する変更、及び／又はキュレータによって編集された原稿などを含んでもよい。
【００７０】
この品質判定基準は、パーセンテージ(例えば、キュレーションされたコンテンツ３０２は、キュレータ生成コンテンツの３５％を含む)によって、総数(例えば、キュレーションされたコンテンツ３０２は、キュレータ生成コンテンツの１１個のパラグラフを含む)によって、又は別の好適な方法で得点されてもよい。
【００７１】
キュレーションされたコンテンツ３０２内に含まれるキュレータ生成コンテンツの量を判定するために、システム１０６は、アイテムの種類を識別してもよい。いくつかの実施形態において、システム１０６は、アイテム３２０がキュレータ生成コンテンツか否かを判定するために、メタデータ、メディアアクセス制御(ＭＡＣ)、アドレスなどを分析してもよい。
【００７２】
例えば、第１のアイテム３２０Ａがキュレータの計算装置からその後ロードしたワープロ書類である場合、システム１０６は、第１のアイテム３２０Ａがワープロ書類であることを、及び／又は第１のアイテム３２０Ａがワープロ書類に関連するメタデータの分析を通じて計算装置からロードされたことを、検知してもよい。
【００７３】
更に、キュレーションされたコンテンツ３０２内に含まれるキュレータ生成コンテンツの量を判定するために、システム１０６は、引用されたオリジナルのコンテンツとキュレーションされたコンテンツとの間の差分を識別し、その後、引用されたオリジナルのコンテンツから編集された単語の数を合計してもよいし、又は、そうでなければ差分を定量化してもよい。
【００７４】
例えば、第２のアイテム３２０Ｂの引用文３２２は、キュレータによって変更された、オリジナルのコンテンツに対する引用文を含んでもよい。システム１０６は、例えば、ネットワークを介してオリジナルのコンテンツにアクセスし、キュレーションされたコンテンツ３０２内に出現する第２のアイテム３２０Ｂをオリジナルのコンテンツと比較してもよい。
【００７５】
更に又はその代わりに、品質基準は、キュレーションされたコンテンツ３０２に関連するコメントの数を含んでもよい。この品質判定基準は、コメントデータ３１８の評価を含んでもよい。例えば、システム１０６は、キュレーションされたコンテンツ３０２に関連するコメントデータ３１８内に含まれるコメント数をカウント又は計算してもよい。
【００７６】
コメント数に対するスコアは、キュレーションされたコンテンツ３０２に関連する、受信したコメント数の合計を含んでもよい。いくつかの実施形態において、コメント数は、キュレーションされたコンテンツ３０２の評判を高めてもよい。例えば、より多いコメント数でキュレーションされたコンテンツ３０２は、より少ないコメント数でキュレーションされたコンテンツ３０２よりも多く得点されてもよい。
【００７７】
更に又はその代わりに、品質基準は、キュレーションされたコンテンツ３０２の閲覧数を含んでもよい。閲覧数は、概して、キュレーションされたコンテンツ３０２を閲覧したユーザ数を表す。閲覧数は、ヒットカウンタ内に含まれるデータの読み取りを通じて、キュレーション１０４をホスティングするサーバとの通信を通じてシステム１０６によって判定されてもよいし、又は、システム１０６は、キュレーションされたコンテンツ３０２をモニタリングする間に閲覧数をカウントしてもよい。
【００７８】
閲覧数に対するスコアは、キュレーションされたコンテンツ３０２によって受信された閲覧数の合計を含んでもよい。いくつかの実施形態において、より多くの閲覧数は、キュレーションされたコンテンツ３０２の評判を高めてもよい。
【００７９】
各品質基準のスコアは、品質評価結果４００を生成するために、平均化されてもよいし、重み係数と組み合わせてもよいし、又はそうでなければ結合されてもよい。更に、スコアの各々は、個々に示されてもよい。本明細書に記載された品質基準は、限定されるのが目的ではない。他の実施形態において、キュレーションされたコンテンツ３０２の品質を評価するために、同様の品質基準をシステム１０６によって実施してもよい。
【００８０】
この実施形態及び他の実施形態において、関係基準は、キュレーションされたコンテンツ３０２に関してコメントしたのは別のユーザであるか否か、及び／又は、キュレーションされたコンテンツ３０２のキュレータが類似トピック領域内の他のコンテンツに関してコメントされたか否かを含んでもよい。
【００８１】
この実施形態及び他の実施形態において、システム１０６は、コメントデータ３１８からユーザを識別してもよい。システム１０６は、その後、ユーザ及び／又はキュレータによってなされた、他のウェブ・コンテンツや他のキュレーションなどに関する他のコメントを検索してもよい。
【００８２】
システム１０６がユーザ及び／又はキュレータによって他のコメントを発見すると、システム１０６は、ユーザ及び／又はキュレータがコメントした別のコンテンツのトピックを判定してもよい。システム１０６は、その後、類似トピック領域内の他のコンテンツに関してもコメントした、キュレーションされたコンテンツ３０２に関してコメントしたユーザの数に基づいてユーザ関係を得点してもよい。
【００８３】
更に又はその代わりに、システム１０６は、類似トピック領域内の他のコンテンツにキュレータによって投稿されたコメントの数に基づいてユーザ関係を得点してもよい。いくつかの実施形態において、類似トピック領域内の他のコンテンツに関してもコメントした、キュレーションされたコンテンツ３０２に関してコメントした多くのユーザ数を有することは、好感的に閲覧され得る。更に又はその代わりに、類似トピック領域内の他のコンテンツにキュレータによって投稿された多くのコメント数を有することは、好感的に閲覧され得る。
【００８４】
この実施形態及び他の実施形態において、関係基準は、キュレーションされたコンテンツ３０２のキュレータがキュレーションされたコンテンツ３０２に関するコメントに対して返答したか否かを含んでもよい。例えば、システム１０６は、キュレーションされたコンテンツ３０２のキュレータによって投稿された、そこに含まれるコメント数を判定するために、コメントデータ３１８をスキャンしてもよい。
【００８５】
加えて、システム１０６は、ユーザによって投稿されたコメントとキュレータによって投稿されたコメントとの間の関連性を判定するために、コメントのテキストをスキャンしてもよい。キュレーションされたコンテンツは、返信コメントの数に従って、キュレータが返答したコメントのパーセンテージによって、又は別の好適な方法において得点されてもよい。
【００８６】
各関係基準のスコアは、ユーザ関係評価結果４０２を生成するために、平均化されてもよいし、重み係数と組み合わせてもよいし、又はそうでなければ結合されてもよい。加えて、スコアの１つ以上は個々に示されてもよい。本明細書に記載された関係基準は、限定されるのが目的ではない。他の実施形態において、キュレーションされたコンテンツ３０２のユーザ関係を評価するために、他の関係基準がシステム１０６によって実施されてもよいし、又は、ユーザ関係の評価が行われなくてもよい。
【００８７】
図４は、図３の品質評価結果４００の例示的な実施形態及びユーザ関係評価結果４０２の例示的な実施形態を示す。品質評価結果４００及びユーザ関係評価結果４０２は、概して、図３に関して表された、及び／又は記載された、キュレーションされたコンテンツの評価に起因し得る。
【００８８】
品質評価結果４００及びユーザ関係評価結果４０２は、ワープロ書類などの物理的書類であってもよいし、１セットのデジタルデータであってもよいし、又はデジタルデータの大きな集合内に含まれてもよい。品質評価結果４００及びユーザ関係評価結果４０２は、基準の既定の基準及び／又は選択されたテンプレート内に含まれる１つ以上のスコアを含んでもよい。
【００８９】
この実施形態及び他の実施形態において、品質評価結果４００は、キュレーションされたコンテンツの評価及び／又はキュレーションのコメントデータに起因し得る１セットのスコア４０４、４０６、４０８、４１０、４１２、４１４及び４１６を含む。パーセンテージとして表される第１のスコア４０４は、コンテンツ構造のテキスト・パターン信号とキュレーションされたコンテンツとの間のヒット率を示してもよい。
【００９０】
表された実施形態において、コンテンツ構造のテキスト・パターン信号内の単語及び語句の７５％は、評価されたキュレーションされたコンテンツ内に含まれる。従って、第１のスコアは７５％である。第２のスコア４０６は、キュレーションされたコンテンツ内に含まれる主要キーワードの数のパーセンテージを含んでもよい。
【００９１】
表された実施形態において、主要キーワードの１００％は、キュレーションされたコンテンツ内に含まれる。従って、第２のスコア４０６は１００％である。第３のスコア４０８は、特定のトピックに対する１つ以上のアイテムの妥当性のスコアを含んでもよい。表された実施形態において、アイテムの５０％は、特定のトピックに関する。第４のスコア４１０は、ソース品質のスコアを含んでもよい。
【００９２】
表された実施形態において、引用されたソース「www.abc.com」は、１．０のソース品質のスコアを受けた。第５のスコア４１２は、キュレータ生成コンテンツの量に対するスコアを含んでもよい。表された実施形態において、キュレータは５００ワードを生成した。第６のスコア４１４は、コメント数を含んでもよい。表された実施形態において、評価されたキュレーションされたコンテンツに対して５つのコメントが投稿された。第７のスコア４１６は、閲覧数に対するスコアを含んでもよい。
【００９３】
表された実施形態において、キュレーションされたコンテンツは、３８回閲覧された。この実施形態及び他の実施形態において、スコア４０４、４０６、４０８、４１０、４１２、４１４及び４１６は、個々に示されてもよい。いくつかの他の実施形態において、１つ以上のスコアが、計算される、平均化される、正規化される、又は、そうでなければ組み合わせられ、もしくは加工されてもよい。
【００９４】
この実施形態及び他の実施形態において、ユーザ関係評価結果４０２は、キュレーションされたコンテンツの評価及び／又はキュレーションのコメントデータに起因し得る１つ以上のスコア４１８及び４２０を含む。第８のスコア４１８は、キュレーションされたコンテンツのキュレータによって投稿された、類似トピック領域での他のコンテンツのコメント数を含んでもよい。
【００９５】
表された実施形態において、類似トピック領域での他のコンテンツに２つのコメントが投稿された。第９のスコア４２０は、コメントに応答してキュレータが投稿した返信の数を含んでもよい。表された実施形態において、キュレータによって３つの返信が投稿された。この実施形態及び他の実施形態において、スコア４１８及び４２０は、個々に示されてもよい。いくつかの他の実施形態において、１つ以上のスコアが、計算される、平均化される、正規化される、又は、そうでなければ組み合わせられ、もしくは加工されてもよい。
【００９６】
図５は、本明細書に記載された少なくとも１つの実施形態による、キュレーションされたコンテンツを評価する例示的な方法５００のフローチャートである。方法５００は、図１〜図３を参照して記載したシステム１０６によるいくつかの実施形態においてプログラム可能に実行されてもよい。
【００９７】
いくつかの実施形態において、システム１０６は、計算装置に例示的な方法５００を実行させるために計算装置によって実行可能であるプログラミング・コード又は命令をその上に格納した非一時的なコンピュータ読み取り可能媒体(例えば、図２のメモリ２２２)を含んでもよいし、又は通信的に結合されてもよい。
【００９８】
更に又はその代わりに、システム１０６は、計算機システムに方法５００を実行させるコンピュータ命令を実行するように構成された上記のプロセッサ２２０を含んでもよい。個別のブロックとして図示されたが、各種のブロックが、追加的なブロックに分割される、少数のブロックに組み合わされる、又は所望の実施に応じて除外されてもよい。
【００９９】
方法５００は、ブロック５０２にて開始されてもよい。ブロック５０２において、キュレーションされたコンテンツが受信されてもよい。ブロック５０４において、キュレーションされたコンテンツの品質は、既定の品質基準及び選択されたテンプレートに基づいて評価されてもよい。
【０１００】
いくつかの実施形態において、選択されたテンプレートは、コンテンツ構造と主要キーワード一覧とを含んでもよい。その代わりに又はそれに加えて、コンテンツ構造は、対応するコンテンツ構造を示す単語及び語句を含んでもよいテキスト・パターン信号を含んでもよい。単語及び語句は、辞書内に含まれていてもよいし、及び／又はカスタマイズ可能であってもよい。
【０１０１】
いくつかの実施形態において、主要キーワード一覧は、１つ以上のキーワードを含んでもよい。キーワードは、最初に識別され、キーワード候補一覧内に含まれていてもよい。キーワードは、主要キーワード一覧に含めるためにキーワード候補一覧から選択されてもよい。
【０１０２】
キュレーションされたコンテンツの品質の評価は、１つ以上のステップ又はアクションを含んでもよい。いくつかの実施形態において、キュレーションされたコンテンツの品質を評価するステップは、選択されたテンプレートの条件をキュレーションされたコンテンツが満たすか否かを判定するステップを含んでもよい。例えば、いくつかの実施形態において、キュレーションされたコンテンツを評価するステップは、コンテンツ構造によって特定されたテキスト・パターン信号をキュレーションされたコンテンツが含むか否かを判定するステップを含んでもよい。
【０１０３】
キュレーションされたコンテンツがテキスト・パターン信号を含む場合、キュレーションされたコンテンツの品質を評価するステップは、また、テキスト・パターン信号に含まれる単語及び語句と、キュレーションされたコンテンツ内に含まれる用語との間のヒット率を計算するステップを含んでもよい。これらの実施形態及び他の実施形態において、キュレーションされたコンテンツの品質を評価するステップは、また、主要キーワード一覧内に含まれるキュレーションされたコンテンツ内に含まれる用語を識別するステップを含んでもよい。
【０１０４】
更に又はその代わりに、キュレーションされたコンテンツの品質を評価するステップは、キュレーションされたコンテンツのアイテムが特定のトピックに関するか否かをチェックするステップと、キュレーションされたコンテンツのアイテムのソース品質を評価するステップと、キュレーションされたコンテンツに関連するコメント数をカウントするステップと、キュレーションされたコンテンツの閲覧数をカウントするステップと、キュレーションされたコンテンツ内に含まれるキュレータ生成コンテンツの量を計算するステップとを含んでもよい。
【０１０５】
いくつかの実施形態において、キュレータ生成コンテンツの量を計算するステップは、引用されたオリジナルのコンテンツとキュレーションされたコンテンツとの間の差分を識別し、引用されたオリジナルのコンテンツから編集された単語の数を合計するステップを含んでもよい。
【０１０６】
ブロック５０６において、キュレーションされたコンテンツをもつユーザ関係は、既定のユーザ関係基準に基づいて判断されてもよい。ユーザ関係を判断するステップは、キュレーションされたコンテンツのキュレータが類似トピック領域内の他のコンテンツに関してコメントされたか否かを分析するステップを含んでもよい。更に、ユーザ関係を判断するステップは、キュレーションされたコンテンツのキュレータがキュレーションされたコンテンツに関するコメントに対して返答したか否かを判定するステップを含んでもよい。
【０１０７】
ブロック５０８において、品質評価結果及びユーザ関係評価結果は、キュレーションされたコンテンツの評価された品質とキュレーションされたコンテンツの判断されたユーザ関係とに基づいて生成されてもよい。
【０１０８】
当業者は、本明細書に記載のこの手順及び方法、及び他の手順及び方法に関して、工程及び方法において実行される機能が違う順序で実現されられてもよいことを認識するだろう。更に、概説されたステップ及び動作は、例示としてのみ提供され、ステップ及び動作のうちのいくつかは、開示された実施形態を損なうことなく、オプションであってもよいし、もっと少ないステップ及び動作に組み合わされてもよいし、付加的なステップ及び動作に拡張されてもよい。
【０１０９】
例えば、方法５００は、課題に関する教材を受信するステップを含んでもよい。教材上に基づいて、キーワード候補一覧が生成されてもよい。キーワード候補一覧からキーワードを選択するのに効果的な入力が受信されてもよく、主要キーワード一覧は、選択されたキーワードを含んで生成されてもよい。
【０１１０】
その代わりに又は更に、方法５００は、課題に従って選択されたコンテンツの構造型を受信することを含んでもよい。これらの実施形態及び他の実施形態において、選択されたコンテンツの構造型は、選択されたテンプレート内に含まれてもよいし、カスタマイズ可能なテキスト・パターン信号を含んでもよい。
【０１１１】
更に詳細に以下で論じるように、本明細書に記載された実施形態は、各種のコンピュータハードウェア又はソフトウェアモジュールを含む専用コンピュータ又は汎用コンピュータの利用を含んでもよい。
【０１１２】
本明細書に記載された実施形態は、その上に格納されたコンピュータが実行可能な命令又はデータ構造を携帯する又は有するためのコンピュータ読み取り可能な非一時的なコンピュータ読み取り可能記録媒体を用いて実施されてもよい。同様のコンピュータ読み取り可能な非一時的なコンピュータ読み取り可能記録媒体は、汎用コンピュータ又は専用コンピュータによってアクセスされ得る任意の有効な非一時的なコンピュータ読み取り可能記録媒体であってもよい。
【０１１３】
限定ではなく一例として、同様のコンピュータ読み取り可能な非一時的なコンピュータ読み取り可能記録媒体は、ＲＡＭ、ＲＯＭ、ＥＥＰＲＯＭ、ＣＤ−ＲＯＭ又は他の光学ディスク記憶装置、磁気ディスク記憶装置又は他の磁気記憶装置、又は、コンピュータ実行可能な命令又はデータ構造の形式で所望のプログラムコードを携帯又は格納するために用いられ得る、及び汎用コンピュータ又は専用コンピュータによってアクセスされ得る他の記憶媒体を含む有形的なコンピュータ読み取り可能な記憶媒体を含んでもよい。上記のものの組み合わせも、コンピュータ読み取り可能な非一時的なコンピュータ読み取り可能記録媒体の範囲内に含まれてもよい。
【０１１４】
コンピュータ実行可能な命令は、例えば、汎用コンピュータ、専用コンピュータ、又は専用の処理装置に、ある一定の機能又は機能群を実行させるための命令及びデータを含む。本発明の主題が構造的特徴及び／又は方法論的動作に特有の言語で記載されたが、添付の特許請求の範囲内に規定される発明の主題が、上記の特定の特徴又は動作には必ずしも限定されないことが理解されるであろう。更に正確に言えば、特許請求の範囲を実行するための例示的な形式として、上記の特定の特徴及び行為が開示される。
【０１１５】
本明細書にて用いるように、用語「モジュール」又は「コンポーネント」は、計算機システム上で実行するソフトウェアオブジェクト又はルーチンを表してもよい。本明細書に記載の個別のコンポーネント、モジュール、エンジン、及びサービスは、計算機システム上で実行するオブジェクト又はプロセスとして(例えば、別のスレッドとして)実現されてもよい。
【０１１６】
本明細書に記載のシステム及び方法がソフトウェアにより好適に実現される一方で、ハードウェア、又はソフトウェアとハードウェアとの組み合わせにおける実現化も、また、可能であり、且つ想定もされる。この明細書において、「コンピューティングエンティティ」は、本明細書において先に規定されるような任意の計算機システム、又は任意のモジュール、又は計算機システム上で動作するモジュールの組み合わせであってもよい。
【０１１７】
本明細書に列挙された例示及び条件付きの文言は、すべて、本発明及び発明者によって技術の促進に寄与された概念を理解する読者を支援する教育学的な目的を対象とし、具体的に列挙された例示及び条件に限定されないように解釈されるであろう。本発明の実施形態を詳細に記載したが、本発明の精神及び範囲から逸脱せずに、各種の変更、置換及び補正を行なうことができ得ることが理解されるであろう。
【符号の説明】
【０１１８】
１００    動作環境
１０２    ネットワーク
１０４    キュレーション
１０６    キュレーションされたコンテンツの評価システム (システム)
１０８    エンドユーザ(ユーザ，複数のユーザ)
１１０    教師
１１２    ウェブ・コンテンツ
２００，３００    ブロック図
２０２    教材
２０４    テンプレート・モジュール
２０６    コンテンツ構造モジュール
２０８    テキスト・パターン信号の辞書
２１０    主要キーワード一覧モジュール
２１２    既定基準モジュール
２１４    品質基準モジュール
２１６    ユーザ関係基準モジュール
２１８    キーワード候補一覧
２２０    プロセッサ
２２２    メモリ
２２４    通信インターフェース
２２６    通信バス
３０２    キュレーションされたコンテンツ
３１８    コメントデータ
３２０，３２０Ａ，３２０Ｂ    アイテム
３２２    引用文
４００    品質評価結果
４０２    ユーザ関係評価結果
４０４，４０６，４０８，４１０，４１２，４１４，４１６，４１８，４２０    スコア
５００    方法
５０２，５０４，５０６，５０８    ブロック
【図１】
2015049893.tif 000003
【図２】
2015049893.tif 000004
【図３】
2015049893.tif 000005
【図４】
2015049893.tif 000006
【図５】
2015049893.tif 000007